(57)【特許請求の範囲】
【請求項１】
平衡伝送用プラグを支持するプラグカバーと、当該プラグカバーが固着される基板とを含む平衡伝送用コネクタにおいて、
前記プラグカバー及び前記平衡伝送用コネクタは、一端が前記基板の厚さ方向に形成される第１孔部に挿入され、他端が前記第１孔部に対応する位置で前記プラグカバーに形成される第２孔部に挿入される柱状の固定用ピンによって固着され、
前記プラグカバーの前記第２孔部が形成される面には、当該第２孔部の開口の径方向に放射状に配列される複数の溝が形成される、平衡伝送用コネクタ。
【請求項２】
前記溝は、前記第２孔部の開口から離れるに従って浅くなるように形成される断面Ｖ字形状の溝である、請求項１に記載の平衡伝送用コネクタ。
【請求項３】
平衡伝送用プラグを支持するプラグカバーと、当該プラグカバーが固着される基板とを含む平衡伝送用コネクタにおいて、
前記プラグカバー及び前記平衡伝送用コネクタは、一端が前記基板の厚さ方向に形成される第１孔部に挿入され、他端が前記第１孔部に対応する位置で前記プラグカバーに形成される第２孔部に挿入される柱状の固定用ピンによって固着され、
前記固定用ピンは、外周の一部が周状に径方向に突出した周状突出部を有するとともに、前記プラグカバーの前記第２孔部の開口部には、当該周状突出部を収容する周状凹部が形成されている、平衡伝送用コネクタ。
【請求項４】
平衡伝送用プラグを支持するプラグカバーと、当該プラグカバーが固着される基板とを含む平衡伝送用コネクタにおいて、
前記プラグカバー及び前記平衡伝送用コネクタは、一端が前記基板の厚さ方向に形成される第１孔部に挿入され、他端が前記第１孔部に対応する位置で前記プラグカバーに形成される第２孔部に挿入される柱状の固定用ピンによって固着され、
前記固定用ピンは、当該固定用ピンの軸方向視にて一文字又は十文字の形状の突出部を有し、前記プラグカバーの前記第２孔部の開口部には、当該突出部を収容する凹部が形成される、平衡伝送用コネクタ。
【請求項５】
前記固定用ピンの外周面又は前記プラグカバーの前記第１孔部が形成される面に表面粗部分を有する、請求項１乃至４のいずれかの項に記載の平衡伝送用コネクタ。
【請求項６】
前記プラグカバー及び前記平衡伝送用コネクタは、前記固定用ピンに加えて、接着剤又は半田により固着される、請求項１乃至５のいずれかの項に記載の平衡伝送用コネクタ。
【発明の詳細な説明】
【技術分野】
【０００１】
本発明は、高速・高密度の情報信号を伝送するための平衡伝送用コネクタに関する。
【背景技術】
【０００２】
従来より、パソコン同士の接続や、ハードディスクや光ファイバ等の周辺機器の接続に平衡伝送用のコネクタが用いられている。このような平衡伝送用コネクタは、プリント基板と、このプリント基板に半田付けされるプラグカバーとを含む。プラグカバーは、平衡伝送用のプラグを覆うとともに、プラグとケーブルの接続部を支持する（例えば、特許文献１参照）。
【特許文献１】特開２００６−０７３３６７号公報
【発明の開示】
【発明が解決しようとする課題】
【０００３】
上述のような平衡伝送用コネクタでは、半田付けだけでプラグカバーがプリント基板に固着されている。半田付けは、使用状況によっては温度変化により強度が低下する可能性がある。このため、温度変化に対応した強度の確保が課題になっていた。
【０００４】
そこで、本発明は、プリント基板に固着するプラグカバーの強度を改善した平衡伝送用コネクタを提供することを目的とする。
【課題を解決するための手段】
【０００５】
本発明の一局面の平衡伝送用コネクタは、平衡伝送用プラグを支持するプラグカバーと、当該プラグカバーが固着される基板とを含む平衡伝送用コネクタにおいて、前記プラグカバー及び前記平衡伝送用コネクタは、一端が前記基板の厚さ方向に形成される第１孔部に挿入され、他端が前記第１孔部に対応する位置で前記プラグカバーに形成される第２孔部に挿入される柱状の固定用ピンによって固着され、前記プラグカバーの前記第２孔部が形成される面には、当該第２孔部の開口の径方向に放射状に配列される複数の溝が形成される。
【０００７】
また、前記溝は、前記第２孔部の開口から離れるに従って浅くなるように形成される断面Ｖ字形状の溝であってもよい。
【０００９】
本発明の他の局面の平衡伝送用コネクタは、平衡伝送用プラグを支持するプラグカバーと、当該プラグカバーが固着される基板とを含む平衡伝送用コネクタにおいて、前記プラグカバー及び前記平衡伝送用コネクタは、一端が前記基板の厚さ方向に形成される第１孔部に挿入され、他端が前記第１孔部に対応する位置で前記プラグカバーに形成される第２孔部に挿入される柱状の固定用ピンによって固着され、前記固定用ピンは、外周の一部が周状に径方向に突出した周状突出部を有するとともに、前記プラグカバーの前記第２孔部の開口部には、当該周状突出部を収容する周状凹部が形成されている。
【００１０】
本発明の他の局面の平衡伝送用コネクタは、平衡伝送用プラグを支持するプラグカバーと、当該プラグカバーが固着される基板とを含む平衡伝送用コネクタにおいて、前記プラグカバー及び前記平衡伝送用コネクタは、一端が前記基板の厚さ方向に形成される第１孔部に挿入され、他端が前記第１孔部に対応する位置で前記プラグカバーに形成される第２孔部に挿入される柱状の固定用ピンによって固着され、前記固定用ピンは、当該固定用ピンの軸方向視にて一文字又は十文字の形状の突出部を有し、前記プラグカバーの前記第２孔部の開口部には、当該突出部を収容する凹部が形成される。
【００１１】
また、前記固定用ピンの外周面又は前記プラグカバーの前記第１孔部が形成される面に表面粗部分を有してもよい。
【００１２】
また、前記プラグカバー及び前記平衡伝送用コネクタは、前記固定用ピンに加えて、接着剤又は半田により固着されてもよい。
【発明の効果】
【００１３】
本発明によれば、基板に固着するプラグカバーの強度を改善した平衡伝送用コネクタを提供できるという特有の効果が得られる。
【発明を実施するための最良の形態】
【００１４】
以下、本発明の平衡伝送用コネクタを適用した実施の形態について説明する。
【００１５】
図１は、本実施の形態の平衡伝送用コネクタの構成を示す斜視図である。図２は、本実施の形態の平衡伝送用コネクタの断面構造を示す図である。
【００１６】
本実施の形態の平衡伝送用コネクタ１０は、例えば、電気信号と光信号との変換を行う光トランシーバをコンピュータ等に接続するコネクタに用いることができる。この場合、本実施の形態の平衡伝送用コネクタ１０は、例えば、光ファイバの末端に接続される。
【００１７】
この平衡伝送用コネクタ１０は、ＰＣＢ（ポリ塩化ビフェニル）製の基板１１の上にプラグカバー１２を固着したものである。プラグカバー１２は、平衡伝送用のプラグ（以下、平衡伝送用プラグと称す）１３を支持しており、この平衡伝送用プラグ１３は、コンピュータ等のソケット（図示せず）に接続される。基板１１は、ＰＣＢ基板の上面に金属配線を形成したプリント基板であり、光電変換素子や光導波路が搭載される。
【００１８】
基板１１及びプラグカバー１２には、柱状のピン１４を挿入するための孔部１１ａ及び１２ａがそれぞれ形成される。孔部１１ａは、基板１１の厚さ方向を貫通するように形成される。口径は、ピン１４が嵌着されるように設定される。また、孔部１２ａは、プラグカバー１２の底面に形成され、孔部１１ａと同一の口径及び所定の深さを有する。
【００１９】
このような孔部１１ａ及び１２ａに柱状のピン１４を嵌着させることにより、基板１１及びプラグカバー１２は固着される。
【００２０】
なお、孔部１１ａは、基板１１を貫通するのではなく、所定の深さを有する穴部として形成されてもよい。また、孔部１２ａは、プラグカバー１２を高さ方向に貫通するように形成されてもよい。この場合、ピン１４の長さは、孔部１１ａ及び１２ａの長さに合わせて設定すればよい。
【００２１】
このように、本実施の形態の平衡伝送用コネクタ１０によれば、基板１１及びプラグカバー１２がピン１４で固着される。このピン１４は、基板１１及びプラグカバー１２に嵌着されるので、基板１１とプラグカバー１２を強固に固着することができる。特に、半田付けだけで固着する場合に比べると、温度変化に対する強度の変化を抑制することができる。
【００２２】
以上では、本実施の形態の平衡伝送用コネクタ１０の基板１１及びプラグカバー１２がピン１４によって固着される形態について説明したが、ピン１４に加えて接着剤を用いて固着してもよい。これにより、基板１１とプラグカバー１２との固着強度がさらに高まる。
【００２３】
プラグ１３の挿抜時には、基板１１とプラグカバー１２との間に応力がかかるため、基板１１とプラグカバー１２との固着強度を増大させることは、平衡伝送用コネクタ１０を用いる光トランシーバやコンピュータ等の信頼性の向上に繋がる。
【００２４】
また、ピン１４を用いることにより、ピン１４を用いない場合に比べて接着剤の量を減らすことができるので、基板１１及びプラグカバー１２の接合部の外に接着剤がはみ出ることを抑制できる。平衡伝送用コネクタ１０を収容するケース（図示せず）は、寸法的余裕が少ない場合が多いので、接着剤のはみ出しを抑制できることにより、ケースへの収まりを良くすることができる。
【００２５】
なお、接着剤としては、耐熱温度の高いもの（例えば、８０度以上）が望ましい。
【００２６】
また、接着剤の代わりに半田を用いることもできる。基板１１及びプラグカバー１２を半田だけで固着すると、温度変化による強度低下が生じるが、ピン１４との併用であれば、実用上問題にならない。
【００２７】
図３は、本実施の形態の平衡伝送用コネクタの要部断面を示す図である。図４は、本実施の形態の平衡伝送用コネクタに用いるピンの構造を示す図である。
【００２８】
図３に示すピン１４は、図４（ａ）に示すように、周状の突出部１４ａを有する。ピン１４を孔部１１ａ及び１２ａに嵌着するとともに、基板１１とプラグカバー１２とで突出部１４ａを挟むようにして基板１１及びプラグカバー１２を固着する。また、図３に示すように、周状の突出部１４ａに接着剤１５を塗布する。周状の突出部１４ａがあるため、接着剤１５による接着面積が増大し、これによりフィレットが大きくなり、基板１１及びプラグカバー１２の固着強度を増大させることができる。
【００２９】
また、ピン１４は、図４（ｂ）に示すように軸方向視が一文字の形状になるように突出する突出部１４ｂを有してもよく、図４（ｃ）に示すように軸方向視が十文字の形状になるように突出する突出部１４ｃを有してもよい。このような突出部１４ｂ及び１４ｃを有するピン１４によっても、図４（ａ）に示す突出部１４ａを有するピン１４を用いる場合と同様に、接着剤５による接着面積が増大し、これによりフィレットが大きくなるので、基板１１及びプラグカバー１２の固着強度を増大させることができる。
【００３０】
なお、突出部１４ｂ及び１４ｃに対応する形状の凹部をプラグカバー１２の底面に形成してもよい。
【００３１】
図５は、本実施の形態の平衡伝送用コネクタの要部断面を示す図である。図５（ａ）に示すピン１４は、外周面の一部に表面粗部１４ｅを有する。図５（ｂ）に示すプラグカバー１２は、底面における孔部１２ａの周囲に表面粗部１２ｄを有する。
【００３２】
このような表面粗部１４ｅ及び１２ｄを設けることにより、接着剤による基板１１及びプラグカバー１２の固着力を増強させることができる。
【００３３】
図６は、本実施の形態の平衡伝送用コネクタの要部を示す図である。図６（ａ）は、プラグカバーの底面を示す図である。図６（ｂ）は、図６（ａ）におけるＡ−Ａ'断面、図６（ｃ）は、図６（ａ）におけるＢ−Ｂ'断面を示す。
【００３４】
図６（ａ）に示すように、プラグカバー１２の孔部１２ａの開口部の周囲に、放射状に配列される複数の溝１２ｂを設けてもよい。このような溝１２ｂを設けて接着剤で基板１１及びプラグカバー１２を固着すれば、固着強度をさらに向上させることができる。なお、このような溝１２ｂは、開口部から離れるに従って深さ（図６（ｃ）参照）が浅くなるように形成されてもよい。これにより、開口部に近い部位での接着剤の量を多くし、遠い部位での量を少なくすることができる。接着剤の量を抑えつつ、ピン１４が嵌着される開口部に近い部位での固着強度を遠い部位より高くすることにより、ピン１４と接着剤とによる固着力の相乗効果を効率的に得ることができる。
【００３５】
図７は、本実施の形態の平衡伝送用コネクタの要部を示す図である。図７（ａ）は、プラグカバーの底面を示す図である。図７（ｂ）は、図７（ａ）におけるＡ−Ａ'断面を示す。
【００３６】
図７（ａ）に示すように、プラグカバー１２の孔部１２ａの開口部に面取部１２ｃを形成してもよい。面取部１２ｃは、孔部１２ａの中心軸状に頂点が位置する四角錐の４つの斜面に相当する面によって構成される。このような面取部１２ｃを設けて接着剤で基板１１及びプラグカバー１２を固着すれば、固着強度をさらに向上させることができる。
【００３７】
なお、面取部１２ｃの形状は、四角錐の斜面の形状に限られるものではなく、他の形状であってもよい。
【００３８】
なお、これらの変形例においても接着剤の代わりに半田を用いてもよい。
【００３９】
以上、本発明の例示的な実施の形態の平衡伝送用コネクタについて説明したが、本発明は、具体的に開示された実施の形態に限定されるものではなく、特許請求の範囲から逸脱することなく、種々の変形や変更が可能である。
【図面の簡単な説明】
【００４０】
【図１】本実施の形態の平衡伝送用コネクタの構成を示す斜視図である。
【図２】本実施の形態の平衡伝送用コネクタの断面構造を示す図である。
【図３】本実施の形態の平衡伝送用コネクタの要部を示す図である。
【図４】本実施の形態の平衡伝送用コネクタの要部を示す図である。
【図５】本実施の形態の平衡伝送用コネクタの要部を示す図である。
【図６】本実施の形態の平衡伝送用コネクタの要部を示す図である。
【図７】本実施の形態の平衡伝送用コネクタの要部を示す図である。
【符号の説明】
【００４１】
１０  平衡伝送用コネクタ
１１  基板
１１ａ、１２ａ  孔部
１２  プラグカバー
１２ｂ  溝
１２ｃ  面取部
１２ｄ、１４ｅ  表面粗部
１３  平衡伝送用プラグ
１４  ピン
１４ａ、１４ｂ、１４ｃ  突出部
１５  接着剤
【図１】
0005054462.tif 000002
【図２】
0005054462.tif 000003
【図３】
0005054462.tif 000004
【図４】
0005054462.tif 000005
【図５】
0005054462.tif 000006
【図６】
0005054462.tif 000007
【図７】
0005054462.tif 000008